(57)【特許請求の範囲】
【請求項１】
マルチキャスト・ブロードキャスト・シングル周波数・ネットワーク  ＭＢＳＦＮ内の複数のマルチメディア・ブロードキャスト・マルチキャスト・サービス  ＭＢＭＳサービスを多重化する方法であって、
セッションの最初に、ブロードキャスト・マルチキャスト・サービス・センターＢＭ−ＳＣにより、互いに多重化すべきＭＢＭＳサービスを求めるステップと、
前記ＢＭ−ＳＣにより、前記ＭＢＭＳサービスを互いに多重化するのに必要な帯域幅要件を推定し、ＭＢＭＳコーディネーション・エンティティ（Ｃｏｏｒｄｉｎａｔｉｏｎ  Ｅｎｔｉｔｙ）ＭＣＥによって無線リソースを割り当てるように前記帯域幅要件を前記ＭＣＥに通知するステップと、
前記ＢＭ−ＳＣにより、互いに多重化すべき前記ＭＢＭＳサービスに関するパケット・データをサーバから受信するステップと、
互いに多重化すべき前記ＭＢＭＳサービスに関する前記パケット・データによって占有される実際の帯域幅が前記帯域幅要件を超過する場合、前記ＢＭ−ＳＣにより、互いに多重化すべき前記ＭＢＭＳサービスを優先順位付けするステップと、
前記ＢＭ−ＳＣにより、互いに多重化すべき前記ＭＢＭＳサービスに関する前記パケット・データを優先順位付けの結果に従って再順序付けし、再順序付けの結果を前記ＭＢＳＦＮエリア内のそれぞれの基地局に通知するステップと、
それぞれの基地局により、前記ＭＣＥによって割り当てられた無線リソース上で、互いに多重化すべき前記ＭＢＭＳサービスに関する前記パケット・データを多重化し、前記ＢＭ−ＳＣによって通知された前記再順序付けの結果に従って前記多重化パケット・データを送信するステップと
を含む方法。
【請求項２】
互いに多重化すべき前記ＭＢＭＳサービスが、前記ＢＭ−ＳＣにより、前記ＭＢＭＳサービスのビット誤り率のサービス品質ＱｏＳ要件に従って求められる請求項１に記載の方法。
【請求項３】
前記帯域幅要件が、前記ＢＭ−ＳＣにより、前記ＭＢＭＳサービスの伝送速度またはビット誤り率のサービス品質（ＱｏＳ）要件に従って求められ、前記優先順位付けが、前記ＢＭ−ＳＣにより、前記ＭＢＭＳサービスの伝送速度またはビット誤り率のサービス品質（ＱｏＳ）要件に従って実施される請求項１に記載の方法。
【請求項４】
前記再順序付けが、高い優先順位を有するＭＢＭＳサービスに関するパケット・データを早期に伝送することができるように、前記高い優先順位を有するＭＢＭＳサービスに関するパケット・データを、低い優先順位を有するＭＢＭＳサービスに関するパケット・データの前に構成することである請求項１に記載の方法。
【請求項５】
再順序付けの結果が、前記ＢＭ−ＳＣ内の内容同期エンティティによって基地局内の相手方内容同期エンティティに通知される請求項１に記載の方法。
【請求項６】
マルチキャスト・ブロードキャスト・シングル周波数・ネットワークＭＢＳＦＮ内の複数のマルチメディア・ブロードキャスト・マルチキャスト・サービスＭＢＭＳサービスを多重化するブロードキャスト・マルチキャスト・サービス・センターＢＭ−ＳＣであって、
セッションの最初に、互いに多重化すべきＭＢＭＳサービスを求める決定手段と、
前記ＭＢＭＳサービスを互いに多重化するのに必要な帯域幅要件を推定し、ＭＢＭＳコーディネーション・エンティティ（Ｃｏｏｒｄｉｎａｔｉｏｎ  Ｅｎｔｉｔｙ）ＭＣＥによって無線リソースを割り当てるように前記帯域幅要件を前記ＭＣＥに通知する推定手段と、
互いに多重化すべき前記ＭＢＭＳサービスに関するパケット・データをサーバから受信する受信手段と、
互いに多重化すべき前記ＭＢＭＳサービスに関するパケット・データによって占有される実際の帯域幅が前記帯域幅要件を超過する場合、互いに多重化すべき前記ＭＢＭＳサービスを優先順位付けする優先順位付け手段と、
互いに多重化すべき前記ＭＢＭＳサービスに関する前記パケット・データを優先順位付けの結果に従って再順序付けし、再順序付けの結果を前記ＭＢＳＦＮエリア内のそれぞれの基地局に通知する再順序付け手段と
を備えるＢＭ−ＳＣ。
【請求項７】
マルチキャスト・ブロードキャスト・シングル周波数・ネットワークＭＢＳＦＮ内の複数のマルチメディア・ブロードキャスト・マルチキャスト・サービスＭＢＭＳサービスを多重化する基地局であって、
ブロードキャスト・マルチキャスト・サービス・センターＢＭ−ＳＣによって通知される、互いに多重化すべきＭＢＭＳサービスに関するパケット・データを再順序付けした結果を受信する再順序付け結果受信手段と、
受信した、互いに多重化すべき前記ＭＢＭＳサービスに関する前記パケット・データを再順序付けした結果に従って、割り当てられた無線リソース上で、互いに多重化すべきＭＢＭＳサービスに関するパケット・データを多重化する多重化手段と、
多重化パケット・データを送信する送信手段と
を備える基地局。
【発明の詳細な説明】
【技術分野】
【０００１】
本発明は、ワイヤレス通信分野に関し、より詳細には、ＭＢＳＦＮ（マルチキャスト・マルチメディア・ブロードキャスト・シングル周波数・ネットワーク：Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）内の複数のＭＢＭＳ（マルチメディア・ブロードキャスト・マルチキャスト・サービス：Ｍｕｌｔｉｍｅｄｉａ  Ｂｒｏａｄｃａｓｔ  Ｍｕｌｔｉｃａｓｔ  Ｓｅｒｖｉｃｅ）サービスを多重化する方法、ＢＭ−ＳＣ（ブロードキャスト・マルチメディア・サービス・センター：Ｂｒｏａｄｃａｓｔ  Ｍｕｌｔｉｃａｓｔ  Ｓｅｒｖｉｃｅ  Ｃｅｎｔｅｒ）、および基地局に関し、ＭＢＳＦＮ伝送の同期のための要件を満たすために、複数のＭＢＭＳサービスがＭＢＳＦＮネットワーク内で多重化されるとき、リソース割振りの集中管理を達成することができる。
【背景技術】
【０００２】
周知のように、ｅＭＢＭＳ（Ｅｎｈａｎｃｅｄ  Ｍｕｌｔｉｍｅｄｉａ  Ｂｒｏａｄｃａｓｔ  Ｍｕｌｔｉｃａｓｔ  Ｓｅｒｖｉｃｅ）のためのＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）伝送が、ｅＭＢＭＳのバージョン９の基本機能に基づいてネゴシエートされる。効率的かつ正しいＭＢＳＦＮ伝送のために、同一の無線リソースを使用して、無線で同一内容のデータ・パケットを同時に伝送することが必要である。ＭＢＳＦＮ伝送が、複数の関連するｅＮＢ（基地局）の間で、リソース割振り、無線構成、およびスケジューリングを含む何らかの調整を必要とすることは明らかである。別の側面では、無線リソース効率の利得を考慮に入れるために、サービス多重化がｅＭＢＭＳのバージョン９でサポートされる。
【０００３】
ここで、本願の出願人が、ＭＢＳＦＮ伝送のためのＭＢＭＳサービスを２つのタイプに分割することを提案していることを指摘しておく必要がある。一方は統計的多重化サービスであり、他方は非統計的多重化サービスである。ＢＬＥＲ（ブロック誤り率）の同一のＱｏＳ要件を有する（例えば、同一の変調符号化方式を有する）こうしたサービスは、１つのＭＡＣ  ＰＤＵ（Ｍｅｄｉａ  Ａｃｃｅｓｓ  Ｃｏｎｔｒｏｌ−Ｐｒｏｔｏｃｏｌ  Ｄａｔａ  Ｕｎｉｔ）として多重化することができ、これは統計的多重化と呼ばれる。１つのＭＡＣ  ＰＤＵに多重化されたすべてのサービスは、１つのサービス・グループとして定義される。これは、本出願人が提案した統計的多重化の一般的概念であり、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によって同意されている。
【０００４】
しかし、従来技術は、ＭＢＭＳサービスをどのように多重化するかについての詳細を考慮することなく、ＭＢＭＳサービスを多重化することの一般的説明を提供するに過ぎない。
【発明の概要】
【発明が解決しようとする課題】
【０００５】
従来技術の欠陥を克服するために本発明を提案する。したがって、本発明の課題は、ＭＢＳＦＮ内の複数のＭＢＭＳサービスを多重化し、ＭＢＳＦＮ伝送の同期のための要件を満たすために複数のＭＢＭＳサービスがＭＢＳＦＮネットワーク内で多重化されるときにリソース割振りの集中管理を達成することができる方法、ＢＭ−ＳＣ、および基地局を提供することである。
【課題を解決するための手段】
【０００６】
本発明によれば、Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）内の複数のＭｕｌｔｉｍｅｄｉａ  Ｂｒｏａｄｃａｓｔ  Ｍｕｌｔｉｃａｓｔ  Ｓｅｒｖｉｃｅ（ＭＢＭＳ）サービスを多重化する方法であって、セッションの最初に、Ｂｒｏａｄｃａｓｔ  Ｍｕｌｔｉｃａｓｔ  Ｓｅｒｖｉｃｅ  Ｃｅｎｔｅｒ（ＢＭ−ＳＣ）により、互いに多重化すべきＭＢＭＳサービスを求めること、ＢＭ−ＳＣにより、ＭＢＭＳサービスを互いに多重化するのに必要な帯域幅要件を推定し、ＭＢＭＳ  Ｃｏｏｒｄｉｎａｔｉｏｎ  Ｅｎｔｉｔｙ（ＭＣＥ）によって無線リソースを割り当てるように帯域幅要件を（ＭＣＥ）に通知すること、ＢＭ−ＳＣにより、互いに多重化すべきＭＢＭＳサービスに関するパケット・データをサーバから受信すること、互いに多重化すべきＭＢＭＳサービスに関するパケット・データによって占有される実際の帯域幅が帯域幅要件を超過する場合、ＢＭ−ＳＣにより、互いに多重化すべきＭＢＭＳサービスを優先順位付けすること、ＢＭ−ＳＣにより、互いに多重化すべきＭＢＭＳサービスに関するパケット・データを優先順位付けの結果に従って再順序付けし、再順序付けの結果をＭＢＳＦＮエリア内のそれぞれの基地局に通知すること、およびそれぞれの基地局により、ＭＣＥによって割り当てられた無線リソース上で、互いに多重化すべきＭＢＭＳサービスに関するパケット・データを多重化し、ＢＭ−ＳＣによって通知された再順序付けの結果に従って多重化パケット・データを送信することを含む方法が提供される。
【０００７】
好ましくは、互いに多重化すべきＭＢＭＳサービスが、ＢＭ−ＳＣにより、ＭＢＭＳサービスのビット誤り率のサービス品質（ＱｏＳ）要件に従って求められる。
【０００８】
好ましくは、帯域幅要件が、ＢＭ−ＳＣにより、ＭＢＭＳサービスの伝送速度またはビット誤り率のサービス品質（ＱｏＳ）要件に従って求められ、優先順位付けが、ＢＭ−ＳＣにより、ＭＢＭＳサービスの伝送速度またはビット誤り率のサービス品質（ＱｏＳ）要件に従って実施される。
【０００９】
好ましくは、再順序付けは、高い優先順位を有するＭＢＭＳサービスに関するパケット・データを早期に伝送することができるように、高い優先順位を有するＭＢＭＳサービスに関するパケット・データを、低い優先順位を有するＭＢＭＳサービスに関するパケット・データの前に構成することである。
【００１０】
好ましくは、再順序付けの結果が、ＢＭ−ＳＣ内の内容同期エンティティによって基地局内の相手方内容同期エンティティに通知される。
【００１１】
さらに、本発明によれば、Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）内の複数のＭｕｌｔｉｍｅｄｉａ  Ｂｒｏａｄｃａｓｔ  Ｍｕｌｔｉｃａｓｔ  Ｓｅｒｖｉｃｅ（ＭＢＭＳ）サービスを多重化するＢｒｏａｄｃａｓｔ  Ｍｕｌｔｉｃａｓｔ  Ｓｅｒｖｉｃｅ  Ｃｅｎｔｅｒ（ＢＭ−ＳＣ）であって、セッションの最初に、互いに多重化すべきＭＢＭＳサービスを求める決定手段と、ＭＢＭＳサービスを互いに多重化するのに必要な帯域幅要件を推定し、ＭＢＭＳ  Ｃｏｏｒｄｉｎａｔｉｏｎ  Ｅｎｔｉｔｙ（ＭＣＥ）によって無線リソースを割り当てるように帯域幅要件をＭＣＥに通知する推定手段と、互いに多重化すべきＭＢＭＳサービスに関するパケット・データをサーバから受信する受信手段と、互いに多重化すべきＭＢＭＳサービスに関するパケット・データによって占有される実際の帯域幅が帯域幅要件を超過する場合、互いに多重化すべきＭＢＭＳサービスを優先順位付けする優先順位付け手段と、互いに多重化すべきＭＢＭＳサービスに関するパケット・データを優先順位付けの結果に従って再順序付けし、再順序付けの結果をＭＢＳＦＮエリア内のそれぞれの基地局に通知する再順序付け手段とを備えるＢＭ−ＳＣが提供される。
【００１２】
さらに、本発明によれば、Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）内の複数のＭｕｌｔｉｍｅｄｉａ  Ｂｒｏａｄｃａｓｔ  Ｍｕｌｔｉｃａｓｔ  Ｓｅｒｖｉｃｅ（ＭＢＭＳ）サービスを多重化する基地局であって、ＢＭ−ＳＣによって通知される、互いに多重化すべきＭＢＭＳサービスに関するパケット・データを再順序付けした結果を受信する再順序付け結果受信手段と、受信した、互いに多重化すべきＭＢＭＳサービスに関するパケット・データを再順序付けした結果に従って、割り当てられた無線リソース上で、互いに多重化すべきＭＢＭＳサービスに関するパケット・データを多重化する多重化手段と、多重化パケット・データを送信する送信手段とを備える基地局が提供される。
【００１３】
本発明の上記の課題、利点、および特徴は、以下の好ましい実施形態の詳細な説明を添付の図面と共に参照することによって明らかとなるであろう。
【図面の簡単な説明】
【００１４】
【図１】ＭＢＭＳサービスが多重化されるときのリソース割振りの分散管理を示すシステム・アーキテクチャ図である。
【図２】本発明によるＭＢＭＳサービスが多重化されるときのリソース割振りの集中管理を示すシステム・アーキテクチャ図である。
【図３】本発明によるＭＢＳＦＮ内の複数のＭＢＭＳサービスを多重化する方法を示す流れ図である。
【図４】本発明によるＭＢＳＦＮ内の複数のＭＢＭＳサービスを多重化するＢＭ−ＳＣを示すアーキテクチャ・ブロック図である。
【図５】本発明によるＭＢＳＦＮ内の複数のＭＢＭＳサービスを多重化するｅＮＢを示すアーキテクチャ・ブロック図である。
【発明を実施するための形態】
【００１５】
図１は、ＭＢＭＳサービスが多重化されるときのリソース割振りの分散管理を示すシステム・アーキテクチャ図である。分散管理では、パケット再順序付けおよびリソース・スケジューリングがｅＮＢ（基地局）内でローカルに行われる。
【００１６】
図１で示すネットワーク・アーキテクチャは、ＢＭ−ＳＣ、ＧＷ（ゲートウェイ）、ｅＮＢ、およびＭＣＥ（ＭＢＭＳ  Ｃｏｏｒｄｉｎａｔｉｏｎ  Ｅｎｔｉｔｙ）を備える。
【００１７】
図１で示すシステムでは、内容同期アルゴリズム、リソース割振り部分シグナリング、パケット再順序付けアルゴリズム、および動的スケジューリングシグナリングを使用することが必要である。
【００１８】
図１で示すシステムでは、ＭＢＭＳサービスを多重化する基本的プロセスは以下の通りである。
【００１９】
１）ＭＢＳＦＮエリア内の異なるｅＮＢのデータが同期されることを保証するために、ＢＭ−ＳＣからのパケットが内容同期エンティティを渡す。
【００２０】
２）ＢＭ−ＳＣは、セッション開始／停止／更新シグナリングを管理するだけである。
【００２１】
３）ＭＣＥが、Ｏ＆Ｍ（Ｏｐｅｒａｔｉｏｎ  ａｎｄ  ｍａｉｎｔｅｎａｎｃｅ）構成に従って無線リソースを割り振る。
【００２２】
４）ＭＢＭＳサービスが限られたリソース上で多重化されるとき、多重化すべきそれぞれのＭＢＭＳサービスを、ＭＣＥによって優先順位付けする必要がある。
【００２３】
例えば、ＢＭ−ＳＣは、ＱＣＩ（Ｑｕａｌｉｔｙ  Ｃｏｎｔｒｏｌ  Ｉｎｆｏｒｍａｔｉｏｎ）で優先順位情報を送信する。ＭＣＥが優先順位情報を受信したとき、優先順位情報は、高い優先順位を有するＭＢＭＳサービスを、低い優先順位を有するＭＢＭＳサービスよりも先に送信するようにｅＮＢに指示する。したがって、低い優先順位を有するＭＢＭＳサービスのデータをドロップすることができる。
【００２４】
５）ｅＮＢは、分散式であるが同期式に、ＭＣＥからの指示に従って、それぞれのＭＢＭＳサービスに関する優先順位付け決定（図１に示す「優先順位付け実施」）を実施する。したがって、分散方式では、低い優先順位を有するＭＢＭＳサービスのパケット・データがｅＮＢでドロップされる。
【００２５】
６）こうしたＭＢＭＳサービスのパケット・データが、マルチキャスト・ネットワークを介してＧＷからｅＮＢに送信される。異なるＭＢＭＳサービスのパケット・データが任意に到達することがある。ｅＮＢでは、こうしたＭＢＭＳサービスに関するパケット・データが、周期ごとに（例えば、周期として３２０ｍｓ）送信され、再順序付けされ、したがって、最高の優先順位を有するＭＢＭＳサービス１に関するすべてのパケットがまず送信され、２番目に高い優先順位を有するＭＢＭＳサービス２に関するすべてのパケットが続き、以下同様である。
【００２６】
７）ｅＮＢは、無線リソースの動的スケジューリングを行い、ＭＢＭＳサービス１のパケットがいくつ送信され、ＭＢＭＳサービス２のパケットがいくつ送信されるかをＵＥ（移動局）に示す。このことは、ｅＮＢ内部で分散式に行われる。
【００２７】
動的スケジューリングの結果は、ｅＮＢによって多重化すべきそれぞれのＭＢＭＳサービスに関するバッファリングされたパケット数の計算に基づき、計算した数を、こうしたパケットを送信するのに必要なサブフレーム数に変換する。
【００２８】
分散管理の利点は、ＢＭ−ＳＣによって達成される機能が単純であることであるが、管理機能の大部分を多数のノードに分散させなければならない一方で、同期された挙動を保証すべきであるために、分散管理によって非常な複雑さがもたらされる。
【００２９】
以下で、添付の図面を参照しながら本発明の好ましい実施形態を説明する。
【００３０】
図２は、本発明によるＭＢＭＳサービスが多重化されるときのリソース割振りの集中管理を示すシステム・アーキテクチャ図である。
【００３１】
図１と同様に、図２に示すネットワーク・アーキテクチャも、ＢＭ−ＳＣ、ＧＷ、ｅＮＢ、およびＭＣＥを備える。しかし、図２で示すシステムでは、ＢＭ−ＳＣは、内容同期、パケット再順序付け、およびリソース割振り部分を含む集中管理を実施し、これは、図１で示す分散管理とは異なる。
【００３２】
図３は、本発明によるＭＢＳＦＮ内の複数のＭＢＭＳサービスを多重化する方法を示す流れ図である。
【００３３】
以下では、図２および図３を参照しながら、ＭＢＳＦＮ内の複数のＭＢＭＳサービスを多重化する方法を説明する。
【００３４】
ステップ３０１で、セッション開始時に、ＢＭ−ＳＣが、互いに多重化すべきＭＢＭＳサービスを求め、すなわち、どのＭＢＭＳサービスを互いに多重化するかを求める。このことは、ＭＢＭＳサービスのビット誤り率（例えばブロック誤り率）などのＱｏＳ（サービス品質）要件に基づいて求めることができる。
【００３５】
ステップ３０３で、ＢＭ−ＳＣは、ＭＢＭＳサービスを互いに多重化するのに必要な帯域幅要件を推定し、ＭＣＥによって無線リソースを割り当てるように帯域幅要件をＭＣＥに通知する。ここで、ＢＭ−ＳＣにより、それぞれのＭＢＭＳサービスの伝送速度やビット誤り率などのＱｏＳ（サービス品質）要件に従って帯域幅要件を求めることができる。
【００３６】
ステップ３０５で、ＢＭ−ＳＣは、互いに多重化すべきＭＢＭＳサービスに関するパケット・データをサーバから受信し、受信したＭＢＭＳサービスに関するパケット・データをバッファリングし、例えばそれを３２０ｍｓの周期でバッファリングする。
【００３７】
ステップ３０７で、互いに多重化すべきＭＢＭＳサービスに関するパケット・データによって占有される実際の帯域幅が帯域幅要件を超過する場合、例えば、バッファリングしたデータによって占有される実際の帯域幅が帯域幅要件を超過する場合、ＢＭ−ＳＣは、互いに多重化すべきＭＢＭＳサービスを優先順位付けする。ここで、優先順位付けは、ＢＭ−ＳＣにより、それぞれのＭＢＭＳサービスの伝送速度やビット誤り率などのＱｏＳ要件に従って実施される。
【００３８】
ステップ３０９で、優先順位付けの結果に基づいて、ＢＭ−ＳＣは、互いに多重化すべきＭＢＭＳサービスに関するパケット・データを再順序付けし、ＭＢＳＦＮエリア内のそれぞれの基地局に再順序付けの結果を通知する。例えば、ＢＭ−ＳＣは、バッファ内のそれぞれのＭＢＭＳサービスに関するパケットを再順序付けし、例えば最高の優先順位を有するＭＢＭＳサービス１に関するパケットにシーケンス番号１〜Ｎ１を追加し、２番目に高い優先順位を有するＭＢＭＳサービス２に関するパケットにシーケンス番号（Ｎ１＋１）〜（Ｎ１＋Ｎ２）を追加し、以下同様である。パケットの再順序付けの結果を、ＢＭ−ＳＣ内の内容同期エンティティによってｅＮＢ内の相手方内容同期エンティティに送信することができる。
【００３９】
ステップ３１１で、ＢＭ−ＳＣによって通知される再順序付けの結果（例えば、それぞれのパケットに追加されるシーケンス番号）に従って、それぞれの基地局が、ＭＣＥによって割り当てられる無線リソース上で、互いに多重化すべきＭＢＭＳサービスに関するパケット・データを多重化し、多重化パケット・データを送信する。
【００４０】
本発明によれば、ＢＭ−ＳＣは、複数のＭＢＭＳサービスが多重化されるときのリソース割振りの集中管理を実施するので、ＭＢＳＦＮ伝送の同期のための要件を満たすことが好都合である。
【００４１】
図４は、本発明によるＭＢＳＦＮ内の複数のＭＢＭＳサービスを多重化するＢＭ−ＳＣを示すアーキテクチャ・ブロック図である。
【００４２】
図４で示すように、本発明によるＢＭ−ＳＣは、セッションの最初に、互いに多重化すべきＭＢＭＳサービスを求める決定手段４０１と、ＭＢＭＳサービスを互いに多重化するのに必要な帯域幅要件を推定し、ＭＣＥによって無線リソースを割り当てるように帯域幅要件をＭＣＥに通知する推定手段４０３と、互いに多重化すべきＭＢＭＳサービスに関するパケット・データをサーバから受信する受信手段４０５と、互いに多重化すべきＭＢＭＳサービスに関するパケット・データによって占有される実際の帯域幅が帯域幅要件を超過する場合、互いに多重化すべきＭＢＭＳサービスを優先順位付けする優先順位付け手段４０７と、互いに多重化すべきＭＢＭＳサービスに関するパケット・データを優先順位付けの結果に従って再順序付けし、再順序付けの結果をＭＢＳＦＮエリア内のそれぞれの基地局に通知する再順序付け手段４０９とを備える。
【００４３】
図５は、本発明によるＭＢＳＦＮ内の複数のＭＢＭＳサービスを多重化するｅＮＢを示すアーキテクチャ・ブロック図である。
【００４４】
本発明による基地局は、ＢＭ−ＳＣによって通知される、互いに多重化すべきＭＢＭＳサービスに関するパケット・データを再順序付けした結果を受信する再順序付け結果受信手段５０１と、受信した、互いに多重化すべきＭＢＭＳサービスに関するパケット・データを再順序付けした結果に従って、割り当てられた無線リソース上で、互いに多重化すべきＭＢＭＳサービスに関するパケット・データを多重化する多重化手段５０３と、多重化パケット・データを送信する送信手段５０５とを備える。
【００４５】
本発明の好ましい実施形態と共に本発明を上記で説明したが、本発明の精神および範囲内で本発明に対して様々な補正、置換、および変更を行えることを当業者は理解されたい。したがって、本発明は、上記の実施形態によって定義されるのではなく、添付の特許請求の範囲およびその均等物によって定義されるものとする。
【図１】
0005349682.tif 000002
【図２】
0005349682.tif 000003
【図３】
0005349682.tif 000004
【図４】
0005349682.tif 000005
【図５】
0005349682.tif 000006